(57)【要約】【課題】  従来の３個のドラムを備えたパチンコ遊技機にあっては、３個のドラムが停止した時に各ドラムの同一図柄が横や斜めに揃った場合に大当たりとなり、また、４個以上のドラムを備えたパチンコ遊技機にあっては、全てのドラム図柄が同一の場合に大当たりとなるものであって、ドラムのみで構成されていることから、顧客にとって斬新性を感じないといった問題があった。【解決手段】  ケース１に対して左右方向に移動可能に取付けられた左右動役物２と、該左右動役物を中央方向と左右方向に同期して移動させる左右駆動手段４と、前記ケースに対して前後方向に移動可能に取付けられた前後動役物３と、前記左右駆動手段によって前記左右動役物が左右方向に移動して中央部分が開放され状態において前記前後動役物を前方に移動させる前後駆動手段５とから構成した遊技機用電動役物装置である。【選択図】        図１
2006102065.tif 000002
【特許請求の範囲】
【請求項１】
ケースに対して左右方向に移動可能に取付けられた左右動役物と、該左右動役物をケースの中央方向と左右方向に同期して移動させる左右駆動手段と、前記ケースに対して前後方向に移動可能に取付けられた前後動役物と、前記左右駆動手段によって前記左右動役物が左右方向に移動して中央部分が開放され状態において前記前後動役物を前方に移動させる前後駆動手段とから構成したことを特徴とする遊技機用電動役物装置。
【請求項２】
前記左右動役物が少なくともそれぞれが１個の回転ドラムで構成されていることを特徴とする請求項１記載の遊技機用電動役物装置。
【請求項３】
前記前後動役物が液晶パネルやドットマトリックス板で構成され、前記左右動役物との関連をもつ表示が行われるようにしたことを特徴とする請求項１記載の遊技機用電動役物装置。
【請求項４】
前記左右動役物が中央位置に移動した状態において、前記ケースの側壁と前記左右動役物との空間が外部から見えないようにする遮蔽手段を取付けたことを特徴とする請求項１記載の遊技機用電動役物装置。
【請求項５】
前記遮蔽手段は折り畳みあるいは巻き込み可能な部材で構成され、前記左右動役物の中央側への移動に伴って引き出されて前記空間を遮蔽するようにしたことを特徴とする請求項４記載の遊技機用電動役物装置。
【請求項６】
前記遮蔽手段は、前記空間を遮蔽する位置に取付けられた透明あるいは半透明な遮蔽板で構成され、前記左右動役物が中央側に移動した位置において光を照射することで不透明状態なるようにしたことを特徴とする請求項４記載の遊技機用電動役物装置。
【請求項７】
前記遮蔽手段は、前記空間を遮蔽する位置に取付けられた無通電状態時には透明となる液晶パネルで構成され、前記左右動役物が中央側に移動した位置において通電して絵柄を表示しあるいは不透明な状態して前記空間が見えないようにしたことを特徴とする請求項４記載の遊技機用電動役物装置。
【発明の詳細な説明】
【技術分野】
【０００１】
本発明は、遊技機、特にパチンコ遊技機において、左右のドラム役物と、中央の役物とから構成され、ドラム役物が左右方向に移動して中央部が開放された状態において中央の役物が前方に移動することで当たりか否かが決定される遊技機用電動役物装置に関する。
【背景技術】
【０００２】
従来における一般的なドラム方式のパチンコ遊技機としては、例えば、特開平４−１２２２７７号公報に開示されているものがある。このパチンコ遊技機に開示されているものは、３個のドラムを横一列に配置し、各ドラムを回転させて３個のドラムが停止した時にドラム上に表示されている図柄が横一列あるいは斜めに揃った時に大当たりとなるものである。
【０００３】
また、他のパチンコ遊技機として、特開平９−６９９号公報に開示されているものがある。このパチンコ遊技機に開示されているものは、少なくとも横２列、縦２列、計４個以上のドラムを配置したものであり、全てのドラムの図柄が同じ図柄で揃った時に大当たりとなるものである。
【０００４】
さらに、他のパチンコ遊技機として、特開２０００−２４２０８号公報に開示されたものがある。このパチンコ遊技機に開示されているものは、横２列、縦２列、計４個ドラムの縦列の間に他のドラムを配置し、また、特開２０００−７９２１５号公報に開示されているものは、前記４個ドラムの間に配置されたドラムに変えて液晶やドットマトリックスである他の役物を配置したものである。
【特許文献１】特開平４−１２２２７７号公報
【特許文献２】特開平９−６９９号公報
【特許文献３】特開２０００−２４２０８号公報
【特許文献４】特開２０００−７９２１５号公報
【発明の開示】
【発明が解決しようとする課題】
【０００５】
ところで、前記した従来例の特開平５−２７７２４１号公報のパチンコ遊技機にあっては、３個のドラムが停止した時に各ドラムの同一図柄が横や斜めに揃った場合に大当たりとなり、また、特開平９−６９９号公報のパチンコ遊技機にあっては、全てのドラム図柄が同一の場合に大当たりとなるものであって、ドラムの数が異なるのみで顧客にとって斬新性を感ぜずあきられる方向にあった。
【０００６】
また、特開２０００−２４２０８号公報のパチンコ遊技機にあっては、縦横２個ドラムの縦方向の中間に大きなドラムを配置し、縦横２個のドラムが同じ図柄で揃った後に、残りの大きなドラムによって、大当たりになるか否かが決定されという点で斬新性を有しているが、全てがドラムで構成されているため、ドラムの回転であるという点で前記２つの従来例と同じあって面白みが少なかった。
【０００７】
さらに、特開２０００−７９２１５号公報のパチンコ遊技機にあっては、縦横２個づつのドラムの縦方向の中間に液晶やドットマトリックスを配置したものであって、ドラム以外の役物を配置したという点で斬新性を有しているが、前記液晶やドットマトリックスが予め固定位置にあり、また、ドラムも固定位置にあることから、前もって役物全てを遊技者は知ることになり、それ程の驚きを与えることができないといった問題があった。
【０００８】
本発明は前記した問題点を解決せんとするもので、その目的とするところは、初期の状態においてドラムが中央に位置し、所定の時間が経過した後にドラムが左右方向に移動して中央部分に空間が生じてから、他の役物が前方に移動して表示されることから、遊技開始時には全ての役物が見えないという点で斬新性を有し、遊技者に驚きを与えて遊技を楽しませることができる遊技機用電動役物装置を提供せんとするにある。
【課題を解決するための手段】
【０００９】
本発明の遊技機用電動役物装置は前記した目的を達成せんとするもので、請求項１の手段は、ケースに対して左右方向に移動可能に取付けられた左右動役物と、該左右動役物をケースの中央方向と左右方向に同期して移動させる左右駆動手段と、前記ケースに対して前後方向に移動可能に取付けられた前後動役物と、前記左右駆動手段によって前記左右動役物が左右方向に移動して中央部分が開放され状態において前記前後動役物を前方に移動させる前後駆動手段とから構成したものである。
【００１０】
請求項２の手段は、前記した請求項１において、前記左右動役物が少なくともそれぞれが１個の回転ドラムで構成されていることを特徴とする。
【００１１】
請求項３の手段は、前記した請求項１において、前記前後動役物が液晶パネルあるいはドットマトリックス板で構成され、前記左右動役物との関連をもつ表示が行われるようにしたことを特徴とする。
【００１２】
請求項４の手段は、前記した請求項１において、前記左右動役物が中央位置に移動した状態において、前記ケースの側壁と前記左右動役物との空間が外部から見えないようにする遮蔽手段を取付けたことを特徴とする。
【００１３】
請求項５の手段は、前記した請求項４において、前記遮蔽手段は折り畳みあるいは巻き込み可能な部材で構成され、前記左右動役物の中央側への移動に伴って引き出されて前記空間を遮蔽するようにしたことを特徴とする。
【００１４】
請求項６の手段は、前記した請求項４において、前記遮蔽手段は、前記空間を遮蔽する位置に取付けられた透明あるいは半透明な遮蔽板で構成され、前記左右動役物が中央側に移動した位置において光を照射することで不透明状態なるようにしたことを特徴とする。
【００１５】
請求項７の手段は、前記した請求項４において、前記遮蔽手段は、前記空間を遮蔽する位置に取付けられた無通電状態時には透明となる液晶パネルで構成され、前記左右動役物が中央側に移動した位置において通電して絵柄を表示しあるいは不透明な状態して前記空間が見えないようにしたことを特徴とする。
【発明の効果】
【００１６】
本発明は前記したように、左右の役物が左右方向に移動し、該役物が移動して中央部が開放された状態で前後動する役物が前方に移動して全体としての役物が構成されることにより、従来にない役物装置として斬新性が得られ、かつ、遊技方法が種々に変化可能であることから、遊技性の向上を図ることができる。
【００１７】
また、左右の役物をドラムとし、中央の役物を液晶パネルやドットマトリックス板とすることで、現存するドラム方式の遊技機と液晶方式の遊技機とを組み合わせた遊技機となることによって、両方式の遊技を同時に楽しむことが可能となって、新たな興味を遊技者に与えることができる。
【００１８】
さらに、左右の役物が中央に移動した状態において、ケース内の左右空間が外部から見えないように遮蔽手段を設けることで、外観の見えを良くすると共に、遮蔽手段において絵を表示したり画像を表示することで、より楽しさを倍増することができる等の効果を有するものである。
【発明を実施するための最良の形態】
【００１９】
本発明は、左右の役物が中央に寄った状態で遊技が開始され、次いで、左右の役物が左右に移動した後に前後動する役物が前方に移動して、前記左右および前後の役物で全体の役物として作用するものである。
【実施例１】
【００２０】
以下、本発明に係る遊技機用電動役物をパチンコ遊技機に応用した場合の実施例を図面と共に説明する。
１は前面に開放部が形成されたケース、２は左右方向に移動可能に前記ケース１に取付けられた一対の左右動役物、３は前後方向に移動可能に前記ケース１に取付けられた前後動役物、４は前記左右動役物２を同期して左右方向に移動させるための左右駆動手段、５は前記前後動役物３を前後方向に移動させるための前後駆動手段、６は左右動役物２が中央位置に移動している状態において、該左右動役物２とケース１の左右壁との間に空間が生じて、ケース１の内部が見えて外観が損なわれるのを防止するための前面を覆う遮蔽手段である。
【００２１】
次に、前記一対の左右動役物２の詳細について説明するに、本実施例では左右動役物２を上下２つのドラムが収納されたドラムユニット２１で構成されている。そして、各ドラムユニット２１は、ドラムケース２２に上下方向に２つのモータ２３が固定され、該モータ２３の出力軸にモータ２３を覆うようにドラム２４がネジ止め固定されている。そして、一対のドラムユニット２１はドラム２４どうしが相対向するように構成されている。
【００２２】
また、前記ドラムケース２２の下端面四隅には前記ケース１の床面と摺接するローラが取付けられ、かつ、ケース１の底面の横方向に形成された長孔１１内に貫通するガイド片（図示せず）が一体的に形成され、このガイド片にラック取付板４１がネジ止め固定されている。
【００２３】
次に、前記左右駆動手段４の詳細について説明するに、ケース１の背面に固定されたモータ４２の出力軸にピニオンギア４２ａが取付けられ、このピニオンギア４２ａに平ギア４３ａが噛合され、この平ギア４３ａに平ギア４３ｂを介して駆動ギア４４が噛合されている。この駆動ギア４４には該駆動ギア４４を挟むように一対のラックギア４５，４６が噛合され、該ラックギア４５，４６の端部には前記したドラムケース２２に固定されている前記ラック取付板４１がそれぞれ固定されている。
【００２４】
また、ケース１の底裏面には前記１つのラックギア４５が左右方向に移動することで操作される２つのマイクロスイッチ４７，４８が固定されている。すなわち、図７において、前記した２つのドラムユニット２１がケース１の左右端に移動した時のラックギア４５の右端部と接触してオフするマイクロスイッチ４７と、２つのドラムユニット２１が中央側に移動した時のラックギア２５の左端部と接触してオフするマイクロスイッチ４８とが固定されている。
【００２５】
なお、４９はラックギア４５，４５が左右方向に移動する時に直線的に移動させるためのガイドローラにして、前記駆動ギア４４と対向する位置に設けられている。そして、このガイドローラ４９によって駆動ギア４４とラックギア４５，４６との噛合が確実に行われることになる。
【００２６】
次に、前後動役物３について説明するに、該前後動役物３は液晶パネルで構成されており、既存の液晶式のパチンコ遊技機と同様に種々の動画や静止画が表示されるが、前記動画や静止画は前記した左右動役物２の図柄と関連性を持たせることが望ましい。なお、液晶パネルに変えて小型の多色発光ダイオードをマトリックス状に配置したドットマトリックス板となし、動画や静止画を表示するようにしてもよい。
【００２７】
次に、前後動役物３を前後方向に移動するための前後駆動手段５の詳細について説明する。
ケース１における天板の前後方向にはガイド孔１２が形成され、このガイド孔１２には前記前後動役物３の上面から突出した突起３１が固定された合成樹脂等からなるベルト挟持部材５１が摺動自在に案内されている。また、前記ケース１における背面側の天板裏面に固定されたモータ５２から天板上面に突出した出力軸にはタイミングプーリー５３が軸支され、さらに、前記天板の前面側上面にもタイミングプーリー５４が軸支されている。なお、前記タイミングプーリー５３，５４は前記ガイド孔１２の両端に配置されている。
【００２８】
前記タイミングプーリー５３，５４の間にはタイミングベルト５５が巻回され、このタイミングベルト５５に前記ベルト挟持部材５１が取付けられている。従って、モータ５２が回転してタイミングベルト５５が移動すると、前後動役物３は前後方向に垂下された状態で移動することとなる。また、前記ベルト挟持部材５１の移動軌跡上の前後には位置決め用のマイクロスイッチ５６，５７が取付けられ、ベルト挟持部材５１に形成された突起状の操作部５１ａによってオン・オフ制御される。
【００２９】
すなわち、図８の状態においてベルト挟持部材５１が前方に移動して停止いる状態においてはマイクロスイッチ５７はオフしてモータ５２への通電を遮断している。そして、モータ５２に対して回転指令が与えられて回転すると、タイミングベルト５５は反時計方向に移動を開始するので、ベルト挟持部材５１は後方（図８では上方）に移動し、該ベルト挟持部材５１の操作部５１ａがマイクロスイッチ５６に当接して、該マイクロスイッチ５６をオフにしてモータ５２への通電を遮断して、前後動役物３をケース１の後方位置において停止される。
【００３０】
次に、一対のドラムユニット２１がケース１の中央側に移動している状態において、該ドラムユニット２１とケース１の左右壁との間に生じる空間を隠すための遮蔽手段６について説明する。
この実施例における遮蔽手段は、図１〜図４に示すように、２つ折可能な２枚の板６１，６２で構成されていおり、１つの板６１の側面側はケース１の側壁に回動自在に軸支され、他の板６２の側面側は前記ドラムケース２２の側壁に回動自在に軸支されている。
【００３１】
このように構成された遮蔽手段６は、図１、図２に示すドラムユニット２１が中央側に移動している時は、他の板６２がドラムケース２２によって引っ張られているので、平板状になってドラムユニット２１とケース１の左右側面との間に発生する空間部が見えないように遮蔽している。
【００３２】
そして、ドラムユニット２１が図３、図４に示すように左右方向に移動している時は、他の板６２がケース１の側壁側に向かって押されることで、板６１，６２との軸支部を支点としてケース１内に折り畳まれ２枚の板６１，６２はドラムユニット２１とケース１との隙間に収容される。
【００３３】
なお、この実施例における遮蔽手段６としては、２つ折可能な板６１，６２によって構成したものについて説明したが、その他の手段としては、外部から左右位置に移動している左右動役物２のドラム２４の図柄を見ることができる透明あるいは半透明な硝子や合成樹脂でなる遮蔽板とし、該遮蔽板の表面に凹凸を形成すると共に遮蔽板を照明する照明装置を取付け、左右動役物２が左右位置にある時は、照明装置を消灯した状態となしドラム２４の図柄が見えるようにし、左右動役物２が中央位置にある時は照明装置を点灯して遮蔽板から反射光が放射されるようにしてケース１の空間部が見えないようにしてもよい。
【００３４】
また、他の遮蔽手段としては、通電しない状態では透明となる液晶パネルとし、左右動役物２が左右位置にある時は、液晶パネルへの通電を遮断して透明な状態となしドラム２４の図柄が見えるようにし、左右動役物２が中央位置にある時は液晶パネルに通電して動画や静止画を映し出してドラム２４の図柄が見えないようにしてもよい。
【００３５】
次に，前記した遊技機用電動役物装置の遊技方法の一例について説明する。
先ず、遊技を開始する前の初期状態においては、左右動役物２は図１、図２に示す位置、すなわち、一対のドラムユニット２１はケース１の中央に寄った位置で停止している。そして、遮蔽手段６は各ドラムユニット２１とケース１の左右壁との空間部が見えないように平板状となっている。また、前後動役物３は左右動役物２の後方に位置している。
【００３６】
この状態において、パチンコ機本体の始動口に玉が入ると、図示しない制御回路よりモータ２３への通電指令が出され回転を始める。そして、制御回路における当たり確率によって制御されるモータ２３への通電が停止され、ドラム２４の停止状態が大当たりの可能性を有する位置で停止した場合には、左右駆動手段４のモータ４２に通電が行われる。
【００３７】
ここで、モータ４２が回転すると、ピニオンギア４２ａが回転するので、平ギア４３ａ，４３ｂを介して駆動ギア４４が回転し、該駆動ギア４４に噛合されているラックギア４５が右方向に移動し、また、ラックギア４６が左方向に移動する。その結果、ラックギア４５，４６に連結されているラック取付板４１が左右方向に移動し、該ラック取付板４１に取付けられているドラムユニット２１は離開方向に移動する。
【００３８】
前記ドラムユニット２１が離開方向に移動することで、遮蔽手段６は徐々に折り畳まれ、ラックギア４５の移動によってマイクロスイッチ４７が操作されるとモータ４２への通電は遮断されラックギア４５，４６は停止し、また、これによって一対のドラムユニット２１もそれぞれケース１の左右壁に近接した位置で停止する（図７参照）。この時、遮蔽手段６は完全に折り畳まれ状態となってドラムユニット２１とケース１の左右側壁との間に収容される。
【００３９】
前記マイクロスイッチ４７がオフ状態となったことで、制御回路より前後駆動手段５のモータ５２への通電指令が出され回転を始める。モータ５２が回転を始めるとタイミングプーリー５３が回転するので、タンミングプーリー５４との間に張設されたタイミングベルト５５が時計方向に移動する。これにより、タイミングベルト５５に取付けられているベルト挟持部材５１がガイド孔１２に沿って前方（図８では下方）に移動するので、該ベルト挟持部材５１に取付けられている液晶パネルである前後動役物３が前方に移動する。
【００４０】
そして、ベルト挟持部材５１の操作部５１ａがマイクロスイッチ５７に当接して、該マイクロスイッチ５７がオフになるとモータ５２への通電が遮断され、前後動役物３をケース１の前方位置において停止させる（図８参照）。この状態において、前後動役物３において前記ドラム２４で表示される図柄と関連する公知の液晶式パチンコ遊技機と同様な動画や静止画が表示され、ドラム２４の中央図柄と同一の図柄が前記前後動役物３で表示されると大当たりとなり、図柄が異なった場合には外れとなるものである。
【００４１】
ここで、大当たりが終了し、あるいは、外れた場合には、先ず、制御回路から前後駆動手段５のモータ５２に前記とは逆回転させる指令が出されて、前後駆動装置５は前記した動作とは逆の動作を行って、ベルト挟持部材５１がマイクロスイッチ５６をオフにするまで前後動役物５を後退させる。そして、マイクロスイッチ５６がオフになると、制御回路は左右駆動手段４のモータ４２に対して通電指令が出されて、左右駆動手段４は前記した動作とは逆の動作を行って、ラックギア４５がマイクロスイッチ４８をオフ状態にするまで左右動役物３を離開する方向に移動させて初期状態に戻るものである。なお、この時、遮蔽手段６はケース１の左右空間部を隠すように平板状となる。
【００４２】
なお、前記した実施例において、前後動役物として液晶パネルやドットマトリックス板の場合について説明したが、ケース１の奥行きが大きくなるがモータによって回転するドラムであってもよい。
【産業上の利用可能性】
【００４３】
前記した実施例ではパチンコ遊技機に応用した場合について説明したが、スロット遊技機にも応用することが可能である。
【図面の簡単な説明】
【００４４】
【図１】本発明に係る遊技起用電動役物装置の左右動役物がケースの中央に移動している状態の正面図である。
【図２】同上のＡ−Ａ線断面図である。
【図３】図１の遮蔽手段を取り除いた状態の正面図である。
【図４】図１のＢ−Ｂ線断面図である。
【図５】左右動役物が左右方向に移動した状態の横断面図である。
【図６】同上の縦断面図である。
【図７】左右駆動手段を示す平面図である。
【図８】前後駆動手段を示す平面図である。
【符号の説明】
【００４５】
１          ケース
２          左右動役物
３          前後動役物
４          左右駆動手段
５          前後駆動手段
６          遮蔽手段
【図１】
2006102065.tif 000003
【図２】
2006102065.tif 000004
【図３】
2006102065.tif 000005
【図４】
2006102065.tif 000006
【図５】
2006102065.tif 000007
【図６】
2006102065.tif 000008
【図７】
2006102065.tif 000009
【図８】
2006102065.tif 000010